Podtech/llm-jp-corpus-v4-ja_patent huggingface dataset:
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
第１図柄変動ゲームを実行する第１表示装置と、
第２図柄変動ゲームを実行する第２表示装置と、
第１始動入賞口に遊技球が入球したことを契機に実行が保留されうる第１図柄変動ゲームを特定可能な保留情報を記憶する第１記憶手段と、
第２始動入賞口に遊技球が入球したことを契機に実行が保留されうる第２図柄変動ゲームを特定可能な保留情報を記憶する第２記憶手段と、
前記第２始動入賞口が開状態及び閉状態を取り得るように開閉動作する開閉部材と、
前記第２始動入賞口へ遊技球を入球させやすくする入球率向上状態を付与する入球率向上状態付与手段と、を備え、
前記第１図柄変動ゲーム及び前記第２図柄変動ゲームの実行が共に保留されている場合、前記第２図柄変動ゲームが優先的に実行されるように構成されており、
前記入球率向上状態付与手段により入球率向上状態が付与された場合、はずれとなる第１図柄変動ゲームの演出時間の平均は、はずれとなる第２図柄変動ゲームの演出時間の平均よりも短いことを特徴とする遊技機。
【請求項２】
前記入球率向上状態付与手段により入球率向上状態が付与された場合であって、保留情報に基づき第１図柄変動ゲームの第１保留記憶数と第２図柄変動ゲームの第２保留記憶数が同じであると特定される場合、はずれとなる第１図柄変動ゲームの演出時間の平均は、はずれとなる第２図柄変動ゲームの演出時間の平均よりも短いことを特徴とする請求項１に記載の遊技機。
【請求項３】
前記入球率向上状態付与手段により入球率向上状態が付与された場合、保留情報により特定される保留記憶数に係わらず、はずれとなる第１図柄変動ゲームの演出時間の平均は、はずれとなる第２図柄変動ゲームの演出時間の平均よりも短いことを特徴とする請求項１に記載の遊技機。
【請求項４】
前記入球率向上状態付与手段により入球率向上状態が付与された場合、リーチ演出なしではずれとなる第１図柄変動ゲームの演出時間の平均は、リーチ演出なしではずれとなる第２図柄変動ゲームの演出時間の平均よりも短いことを特徴とする請求項１〜請求項３のうちいずれか一項に記載の遊技機。
【手続補正２】
【補正対象書類名】明細書
【補正対象項目名】０００９
【補正方法】変更
【補正の内容】
【０００９】
上記問題点を解決する遊技機は、第１図柄変動ゲームを実行する第１表示装置と、第２図柄変動ゲームを実行する第２表示装置と、第１始動入賞口に遊技球が入球したことを契機に実行が保留されうる第１図柄変動ゲームを特定可能な保留情報を記憶する第１記憶手段と、第２始動入賞口に遊技球が入球したことを契機に実行が保留されうる第２図柄変動ゲームを特定可能な保留情報を記憶する第２記憶手段と、前記第２始動入賞口が開状態及び閉状態を取り得るように開閉動作する開閉部材と、前記第２始動入賞口へ遊技球を入球させやすくする入球率向上状態を付与する入球率向上状態付与手段と、を備え、前記第１図柄変動ゲーム及び前記第２図柄変動ゲームの実行が共に保留されている場合、前記第２図柄変動ゲームが優先的に実行されるように構成されており、前記入球率向上状態付与手段により入球率向上状態が付与された場合、はずれとなる第１図柄変動ゲームの演出時間の平均は、はずれとなる第２図柄変動ゲームの演出時間の平均よりも短いことを要旨とする。
【手続補正３】
【補正対象書類名】明細書
【補正対象項目名】００１０
【補正方法】変更
【補正の内容】
【００１０】
上記遊技機において、前記入球率向上状態付与手段により入球率向上状態が付与された場合であって、保留情報に基づき第１図柄変動ゲームの第１保留記憶数と第２図柄変動ゲームの第２保留記憶数が同じであると特定される場合、はずれとなる第１図柄変動ゲームの演出時間の平均は、はずれとなる第２図柄変動ゲームの演出時間の平均よりも短くしてもよい。
【手続補正４】
【補正対象書類名】明細書
【補正対象項目名】００１１
【補正方法】変更
【補正の内容】
【００１１】
上記遊技機において、前記入球率向上状態付与手段により入球率向上状態が付与された場合、保留情報により特定される保留記憶数に係わらず、はずれとなる第１図柄変動ゲームの演出時間の平均は、はずれとなる第２図柄変動ゲームの演出時間の平均よりも短くしてもよい。
【手続補正５】
【補正対象書類名】明細書
【補正対象項目名】００１２
【補正方法】変更
【補正の内容】
【００１２】
上記遊技機において、前記入球率向上状態付与手段により入球率向上状態が付与された場合、リーチ演出なしではずれとなる第１図柄変動ゲームの演出時間の平均は、リーチ演出なしではずれとなる第２図柄変動ゲームの演出時間の平均よりも短くしてもよい。
【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
始動条件の成立を契機とした付与判定の判定結果が肯定である場合に遊技者に有利な有利遊技状態を付与するとともに、前記有利遊技状態の付与に関連して各種の遊技演出を実行可能な遊技機において、
遊技者が操作可能な演出用操作手段と、
前記演出用操作手段の操作に基づき選択可能な選択肢を提示して行う選択演出を実行するように選択演出実行手段を制御可能な選択演出制御手段と、
前記選択演出にて提示される選択肢のうちから選択肢を取得する選択肢取得手段と、
前記選択肢取得手段が取得する選択肢に基づき演出実行手段を制御し、前記遊技演出を実行させる制御を可能な演出制御手段と、を備え、
前記遊技演出には、第１特定遊技演出と、該第１特定遊技演出と比較して前記付与判定の判定結果が肯定である可能性の高低を示す期待度が高い第２特定遊技演出と、を含み、
前記演出制御手段は、前記選択肢取得手段が取得した選択肢に示される取得演出内容による遊技演出を前記第２特定遊技演出として実行させる一方で、前記取得演出内容とは異なる非取得演出内容による遊技演出を前記第１特定遊技演出として実行させる特定演出制御を実行可能に構成されたことを特徴とする遊技機。
【請求項２】
前記有利遊技状態が付与されている場合と、前記有利遊技状態が付与されていない場合とで共通である特別演出を実行するように特別演出実行手段を制御する特別演出制御手段をさらに備え、
前記演出制御手段は、前記特別演出の実行中に前記特定演出制御を実行可能に構成された請求項１に記載の遊技機。
【請求項３】
前記始動条件の成立を契機として当り判定を行う当り判定手段をさらに備え、
前記演出制御手段は、前記取得演出内容による遊技演出を、前記当り判定の判定結果が肯定である可能性の高低を示す当り期待度が第１非特定遊技演出と比較して高い第２非特定遊技演出として実行させる一方で、
前記非取得演出内容による遊技演出を前記第１非特定遊技演出として実行させる非特定演出制御を実行可能に構成された請求項１または２に記載の遊技機。
【手続補正２】
【補正対象書類名】明細書
【補正対象項目名】０００７
【補正方法】変更
【補正の内容】
【０００７】
上記課題を解決する遊技機は、始動条件の成立を契機とした付与判定の判定結果が肯定である場合に遊技者に有利な有利遊技状態を付与するとともに、前記有利遊技状態の付与に関連して各種の遊技演出を実行可能な遊技機において、遊技者が操作可能な演出用操作手段と、前記演出用操作手段の操作に基づき選択可能な選択肢を提示して行う選択演出を実行するように選択演出実行手段を制御可能な選択演出制御手段と、前記選択演出にて提示される選択肢のうちから選択肢を取得する選択肢取得手段と、前記選択肢取得手段が取得する選択肢に基づき演出実行手段を制御し、前記遊技演出を実行させる制御を可能な演出制御手段と、を備え、前記遊技演出には、第１特定遊技演出と、該第１特定遊技演出と比較して前記付与判定の判定結果が肯定である可能性の高低を示す期待度が高い第２特定遊技演出と、を含み、前記演出制御手段は、前記選択肢取得手段が取得した選択肢に示される取得演出内容による遊技演出を前記第２特定遊技演出として実行させる一方で、前記取得演出内容とは異なる非取得演出内容による遊技演出を前記第１特定遊技演出として実行させる特定演出制御を実行可能に構成されたことを要旨とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
上記遊技機について、前記有利遊技状態が付与されている場合と、前記有利遊技状態が付与されていない場合とで共通である特別演出を実行するように特別演出実行手段を制御する特別演出制御手段をさらに備え、前記演出制御手段は、前記特別演出の実行中に前記特定演出制御を実行可能に構成されたことが好ましい。
【手続補正５】
【補正対象書類名】明細書
【補正対象項目名】００１０
【補正方法】変更
【補正の内容】
【００１０】
上記遊技機について、前記始動条件の成立を契機として当り判定を行う当り判定手段をさらに備え、前記演出制御手段は、前記取得演出内容による遊技演出を、前記当り判定の判定結果が肯定である可能性の高低を示す当り期待度が第１非特定遊技演出と比較して高い第２非特定遊技演出として実行させる一方で、前記非取得演出内容による遊技演出を前記第１非特定遊技演出として実行させる非特定演出制御を実行可能に構成されたことが好ましい。
【手続補正６】
【補正対象書類名】明細書
【補正対象項目名】００１１
【補正方法】削除
【補正の内容】
【手続補正書】
【提出日】平成26年11月18日(2014.11.18)
【手続補正１】
【補正対象書類名】特許請求の範囲
【補正対象項目名】全文
【補正方法】変更
【補正の内容】
【特許請求の範囲】
【請求項１】
遊技者が遊技場に預け入れた遊技媒体を貯留媒体数情報として管理するとともに、前記貯留媒体数情報及び当該遊技場の遊技エリアごとに設定された貸出レートに基づいて遊技媒体の払い出しを可能とする遊技システムにおいて、
前記遊技場で利用可能な複数の遊技媒体の貸出レートのうち、前記遊技エリアに設定されている設定貸出レートに対応する前記貯留媒体数情報を管理する第１情報管理手段と、
前記遊技場で利用可能な複数の遊技媒体の貸出レートのうち、前記遊技エリアに設定されていない除外貸出レートに対応する前記貯留媒体数情報を管理する第２情報管理手段と、
前記第１情報管理手段との間で前記設定貸出レートに対応する貯留媒体数情報から所定の景品と交換するための景品交換処理を行う第１景品交換処理手段と、
前記第２情報管理手段との間で前記除外貸出レートに対応する貯留媒体数情報から所定の景品と交換するための景品交換処理を行う第２景品交換処理手段と、を備えたことを特徴とする遊技システム。
【請求項２】
遊技者が遊技場に預け入れた遊技媒体を貯留媒体数情報として管理するとともに、前記貯留媒体数情報及び当該遊技場の遊技エリアごとに設定された貸出レートに基づいて遊技媒体の払い出しを可能とする遊技システムにおいて、
前記遊技場で利用可能な複数の遊技媒体の貸出レートのうち、前記遊技エリアに設定されている設定貸出レートに対応する前記貯留媒体数情報を管理する第１情報管理手段と、
前記遊技場で利用可能な複数の遊技媒体の貸出レートのうち、前記遊技エリアに設定されていない除外貸出レートに対応する前記貯留媒体数情報を管理する第２情報管理手段と、を備え、
複数の遊技媒体の貸出レートのうち、所定数の貯留遊技媒体情報を合算して、所定の景品と交換するための景品交換処理を実行可能としたことを特徴とする遊技システム。
【請求項３】
前記第１情報管理手段によって管理される前記設定貸出レートに対応する貯留媒体数情報、及び前記第２情報管理手段によって管理される前記除外貸出レートに対応する貯留媒体数情報を合算して、所定の景品と交換するための景品交換処理を実行可能としたことを特徴とする請求項２に記載の遊技システム。
【請求項４】
前記第１情報管理手段が管理する前記貯留媒体数情報に基づいて遊技媒体を払い出すための制御を行うことが可能な貯留媒体払出制御手段と、
前記遊技エリアに設定されている設定貸出レート及び前記遊技エリアに設定されていない除外貸出レートを特定することが可能な貸出レート特定手段と、
前記貸出レート特定手段が特定した前記設定貸出レート及び前記除外貸出レートに基づいて前記第１情報管理手段及び前記第２情報管理手段が管理する前記貯留媒体数情報を更新することが可能な貯留媒体数情報更新手段と、を備え、
前記貯留媒体数情報更新手段は、
前記第１情報管理手段が管理している前記除外貸出レートに対応する貯留媒体数情報を前記第２情報管理手段に移動させることが可能な第１情報移動手段と、
前記第２情報管理手段が管理している前記設定貸出レートに対応する貯留媒体数情報を前記第１情報管理手段に移動させることが可能な第２情報移動手段と、を備えることを特徴とする請求項１から請求項３の何れかに記載の遊技システム。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
そこで、本発明は上記した問題点に鑑みてなされたものであり、貸出料金の種類の増加に対応した貯留遊技媒体の管理を行うことが可能な遊技システムを提供することを目的とする。
【手続補正４】
【補正対象書類名】明細書
【補正対象項目名】０００８
【補正方法】変更
【補正の内容】
【０００８】
本発明は、遊技者が遊技場に預け入れた遊技媒体を貯留媒体数情報として管理するとともに、前記貯留媒体数情報及び当該遊技場の遊技エリアごとに設定された貸出レートに基づいて遊技媒体の払い出しを可能とする遊技システムにおいて、前記遊技場で利用可能な複数の遊技媒体の貸出レートのうち、前記遊技エリアに設定されている設定貸出レートに対応する前記貯留媒体数情報を管理する第１情報管理手段と、前記遊技場で利用可能な複数の遊技媒体の貸出レートのうち、前記遊技エリアに設定されていない除外貸出レートに対応する前記貯留媒体数情報を管理する第２情報管理手段と、前記第１情報管理手段との間で前記設定貸出レートに対応する貯留媒体数情報から所定の景品と交換するための景品交換処理を行う第１景品交換処理手段と、前記第２情報管理手段との間で前記除外貸出レートに対応する貯留媒体数情報から所定の景品と交換するための景品交換処理を行う第２景品交換処理手段と、を備えたことを特徴とする。
【手続補正５】
【補正対象書類名】明細書
【補正対象項目名】０００９
【補正方法】変更
【補正の内容】
【０００９】
本発明によれば、貸出料金の種類の増加に対応した貯留遊技媒体の管理を容易に行うことができる。
【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
以下を含む方法：
検証サーバのプロセッサーが、携帯ゲーム機を使用している遊技者からの確認要求であって当該携帯ゲーム機がゲームサービス事業者によって制御されているゲームサーバと通信していることを確認するための確認要求を、ゲーム許可機関によって制御されている検証デバイスから受け取ること；
前記プロセッサーが、前記検証デバイスから前記確認要求を受け取った場合に、遊技者識別情報にアクセスすること；および
前記プロセッサーが、当該携帯ゲーム機が当該ゲームサーバと通信していることの確認として、前記ゲームサーバを介して前記携帯ゲーム機に、前記遊技者識別情報を送ること。
【請求項２】
前記確認要求を受け取る前に、
前記プロセッサーが、前記遊技者識別情報を前記遊技者から受け取ること；および
前記プロセッサーが、前記遊技者識別情報をデータベースに記録すること、
を含む、請求項１に記載の方法。
【請求項３】
前記プロセッサーが、前記検証デバイスを介して、前記遊技者に、当該検証デバイスが前記検証サーバと通信していることを確認すること、
を含む、請求項１又は２に記載の方法。
【請求項４】
前記遊技者識別情報は、前記遊技者が１つ以上のゲーム行為に係わっている１つ以上の場所を含む、
請求項１から３のいずれか一項に記載の方法。
【請求項５】
前記遊技者識別情報は、前記遊技者が係わった１つ以上のゲーム行為に関する１つ以上のスキルレベルを含む、
請求項１から４のいずれか一項に記載の方法。
【請求項６】
前記プロセッサーが、前記携帯ゲーム機の前記遊技者が知らない値を決定すること、
を含む、請求項１から５のいずれか一項に記載の方法。
【請求項７】
前記携帯ゲーム機が、前記ゲームサーバと協同して、前記遊技者に対して少なくとも１つの便利なサービスを提供可能である、
請求項１から６のいずれか一項に記載の方法。
【請求項８】
前記少なくとも１つの便利なサービスは、以下の少なくとも１つを含む：
レストランサービス、
娯楽サービス、
ホテルサービス、
金銭管理サービス、
ニュースサービス、および
金融為替サービス、
請求項７に記載の方法。
【請求項９】
前記遊技者識別情報は、以下の少なくとも１つを含む：
前記遊技者によってされた予約、
前記遊技者によってされた予定、
前記遊技者によって購入されたアイテム、
前記遊技者によって購入されたアイテムのコスト、および
前記遊技者によってされた予約と関連した預金額、
請求項１から８のいずれか一項に記載の方法。
【請求項１０】
前記遊技者識別情報は、以下の少なくとも１つを含む：
前記遊技者の信用量、および
前記遊技者の売掛勘定の取引履歴、
請求項１から９のいずれか一項に記載の方法。
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
超音波器械（２１２；４１２）であって、
近位端を有するハウジング（２２２；４２２）であって、前記ハウジングは、固定ハンドル（２２８；４２８）を有する、ハウジングと、
前記ハウジング（２２２；４２２）に旋回式に連結された可動ハンドル（２３６；４３６）と、
超音波変換器（２３０；４３０；６３０）であって、前記超音波変換器（２３０；４３０；６３０）が、前記ハウジング（２２２；４２２）内に支持され、かつ、前記ハウジング（２２２；４２２）の前記近位端から延びるように、前記ハウジング（２２２；４２２）に取り付け可能である、超音波変換器と、
前記ハウジング（２２２；４２２）から遠位に延びている細長い本体部分（２２４；４２４）と、
前記細長い本体部分（２２４；４２４）の遠位端に配置されたジョー組立体（２３２；４３２）であって、前記ジョー組立体（２３２；４３２）は、前記可動ハンドル（２３６；４３６）の移動によって移動させられるかん子（２６０；４６０）を有し、前記ジョー組立体（２３２；４３２）は、切断ジョー（２５８；４５８）を含む、ジョー組立体と、
前記超音波変換器（２３０；４３０；６３０）に機械的に係合するように構成された、遠位端（２５６）および近位端（２５２；４５２）を含む振動カップラ（２５０；４５０）であって、前記切断ジョー（２５８；４５８）は、前記振動カップラ（２５０；４５０）の前記遠位端（２５６）と一体になっており、前記細長い本体部分（２２４；４２４）、前記かん子（２６０；４６０）、前記切断ジョー（２５８；４５８）、前記ハウジング（２２２；４２２）、前記固定ハンドル（２２８；４２８）、および前記可動ハンドル（２３６；４３６）は、使用前における使用者による組立てを必要としない一体構造の装置として組立てられている、振動カップラと
を含む、超音波器械（２１２；４１２）。
【請求項２】
前記ハウジング（２２２；４２２）は、前記超音波変換器（２３０；４３０；６３０）の一部分を受け取るように構成された小室（２７６；４７６）を規定している、請求項１に記載の超音波器械（２１２；４１２）。
【請求項３】
前記小室（２７６；４７６）は、開口部（２７８；４７８）を有する、請求項１に記載の超音波器械（２１２；４１２）。
【請求項４】
前記超音波変換器（２３０；６３０）は、前記振動カップラ（２５０）の前記近位端を受け取るように構成された孔（２８０；６４４）を含む、請求項３に記載の超音波器械（２１２）。
【請求項５】
前記振動カップラ（２５０）の前記近位端（２５２）は、前記開口部（２７８）を通って延びている、請求項４に記載の超音波器械（２１２）。
【請求項６】
前記超音波変換器（６３０）は、近位のハウジング部分（６３２）および遠位のハウジング部分（６３４）を有するハウジング（６３１）を含み、前記近位のハウジング部分（６３２）は、その近位端に隣接した切り欠き部（６３６）を有する、請求項１に記載の超音波器械（２１２）。
【請求項７】
前記超音波変換器（２３０；４３０；６３０）は、変換器のホーンを有する、請求項１に記載の超音波器械（２１２；４１２）。
【請求項８】
前記変換器のホーンの前記遠位端は、前記振動カップラ（２５０）に係合するような寸法のねじ山付き孔（６４４）を含む、請求項７に記載の超音波器械（２１２）。
【請求項９】
前記超音波変換器（６３０）に係合するような構成および寸法のトルクレンチ組立体（６７０）をさらに含む、請求項１に記載の超音波器械（２１２）。
【請求項１０】
前記超音波変換器（６３０）は、前記トルクレンチ組立体（６７０）によって係合される切り欠き部（６３６）を有する、請求項９に記載の超音波器械（２１２）。
【請求項１１】
前記超音波変換器（２３０）は、ケーブル（２１８）を介して制御モジュール（２１４）に接続されている、請求項１に記載の超音波器械（２１２）。
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
遊技機設置島に取り付けられる縦長矩形状の外枠の前後方向に移動可能な枠体と、
遊技領域を有する遊技板部と、
前記遊技板部の裏面側に取り付けられ、演出表示装置を含む裏部材と、
前記遊技板部の遊技領域にむけて遊技球を打ち出す発射装置と、
前記発射装置から打ち出された遊技球が前記遊技領域に設けられる始動口に入球されたことに基づいて大当たりについての抽選を行う抽選手段と、
前記抽選にて前記大当たりが当選されたときに開放される大入賞口に遊技球が入球されたことに基づいて当該大入賞口への遊技球の入球数に応じた分だけの遊技球を遊技者に払い出す払出装置と、
前記払出装置により払い出される遊技球を貯留可能な貯留皿と、
前記枠体に設けられた賞球タンクと、
略水平の傾斜を保ったまま前記貯留皿へと遊技球を流下させる平坦状の奥行き方向通路と、
前記賞球タンクから供給される遊技球が前記奥行き方向通路に至るまでの一連の球通路と、
を備え、
前記賞球タンクは、タンク部と、該タンク部からの遊技球を下流側に供給するタンク出口部とを有しており、
前記タンク出口部は、前記賞球タンクの一部が延設されるかたちで前記タンク部よりも後方側に形成されてなり、
前記一連の球通路は、前記タンク部よりも後方側に形成された前記タンク出口部から遊技球の供給を受けることによって、前記タンク出口部から供給された遊技球を整列させて下流側に誘導するタンクレール部材、及び該タンクレール部材から供給された遊技球を縦方向に流下させる高さ方向通路を含めて、前記タンク部よりも後方側に位置するように形成されてなり、
前記高さ方向通路は、当該通路中に前記払出装置が配設されることによって、この払出装置から送出される遊技球を前記奥行き方向通路へと供給するものであって、
前記枠体は、側壁部及び後壁部を有するとともに、これら側壁部及び後壁部によって所定の空間を形成し、
前記側壁部及び前記後壁部によって形成される前記所定の空間に前記裏部材が配置されるよう構成されてなる
ことを特徴とする遊技機。
【請求項２】
前記演出表示装置は、所定の表示演出が行われる液晶表示器を有する
請求項１に記載の遊技機。
【請求項３】
所定の効果音を出力可能なスピーカをさらに備える
請求項１または２に記載の遊技機。
【手続補正２】
【補正対象書類名】明細書
【補正対象項目名】０００５
【補正方法】変更
【補正の内容】
【０００５】
ところで、遊技領域の拡張によって遊技盤自体が大きくなると不具合が生じるおそれがある。
【手続補正３】
【補正対象書類名】明細書
【補正対象項目名】０００６
【補正方法】変更
【補正の内容】
【０００６】
本発明は、好適に遊技領域または演出領域の拡張を可能とすることにある。
【手続補正４】
【補正対象書類名】明細書
【補正対象項目名】０００７
【補正方法】変更
【補正の内容】
【０００７】
本発明の遊技機は、遊技機設置島に取り付けられる縦長矩形状の外枠の前後方向に移動可能な枠体と、遊技領域を有する遊技板部と、前記遊技板部の裏面側に取り付けられ、演出表示装置を含む裏部材と、前記遊技板部の遊技領域にむけて遊技球を打ち出す発射装置と、前記発射装置から打ち出された遊技球が前記遊技領域に設けられる始動口に入球されたことに基づいて大当たりについての抽選を行う抽選手段と、前記抽選にて前記大当たりが当選されたときに開放される大入賞口に遊技球が入球されたことに基づいて当該大入賞口への遊技球の入球数に応じた分だけの遊技球を遊技者に払い出す払出装置と、前記払出装置により払い出される遊技球を貯留可能な貯留皿と、前記枠体に設けられた賞球タンクと、略水平の傾斜を保ったまま前記貯留皿へと遊技球を流下させる平坦状の奥行き方向通路と、前記賞球タンクから供給される遊技球が前記奥行き方向通路に至るまでの一連の球通路と、を備え、前記賞球タンクは、タンク部と、該タンク部からの遊技球を下流側に供給するタンク出口部とを有しており、前記タンク出口部は、前記賞球タンクの一部が延設されるかたちで前記タンク部よりも後方側に形成されてなり、前記一連の球通路は、前記タンク部よりも後方側に形成された前記タンク出口部から遊技球の供給を受けることによって、前記タンク出口部から供給された遊技球を整列させて下流側に誘導するタンクレール部材、及び該タンクレール部材から供給された遊技球を縦方向に流下させる高さ方向通路を含めて、前記タンク部よりも後方側に位置するように形成されてなり、前記高さ方向通路は、当該通路中に前記払出装置が配設されることによって、この払出装置から送出される遊技球を前記奥行き方向通路へと供給するものであって、前記枠体は、側壁部及び後壁部を有するとともに、これら側壁部及び後壁部によって所定の空間を形成し、前記側壁部及び前記後壁部によって形成される前記所定の空間に前記裏部材が配置されるよう構成されてなることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明によれば、好適に遊技領域または演出領域の拡張を図ることができる。
【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
対象において、薄層状構造の管腔臓器または組織構造を拡大又は置換する方法に使用するための移植可能な構造体であって、該構造体は
ａ）第一及び第二の生体適合性ポリマーマトリックス、及び
ｂ）マトリックス表面の上または内部に堆積された平滑筋細胞（ＳＭＣ）集団であって、該ＳＭＣ集団は対象の自家細胞であり、拡大又は置換の標的となる元の臓器または組織構造に由来するものではなく、脂肪組織又は末梢血から生じたＳＭＣ集団
を含んでなる移植可能な構造体。
【請求項２】
第一及び第二の生体適合性ポリマーマトリックスは各々、基部及び、各基部から放射状に伸びた少なくとも２つの弁を含み、第一及び第二のマトリックスは膀胱又は膀胱の一部に一致して結合するように構成された、請求項１に記載の移植可能な構造体。
【請求項３】
第一及び第二の生体適合性ポリマーマトリックスは、結合して空洞の球形または準球形マトリックスを形成し、結合したポリマーマトリックスの一側面に突縁の付いた縦方向の楕円形開口部が、及び縦方向開口部の反対側面に円形の開口部を形成するように構成された、請求項２に記載の移植可能な構造体。
【請求項４】
第一及び第二の生体適合性ポリマーマトリックスは、上部、前部、及び側面部を一緒に含み、王冠型の移植可能な構造体を形成する、請求項１に記載の移植可能な構造体。
【請求項５】
上部、前部、及び側面部は、少なくとも３つの継ぎ目を使用して結合される、請求項４に記載の移植可能な構造体。
【請求項６】
上部、前部、及び側面部は、少なくとも４つの継ぎ目を使用して結合される、請求項５に記載の移植可能な構造体。
【請求項７】
第一及び第二の生体適合性ポリマーマトリックスは、結合された場合に管腔臓器の少なくとも一部に一致して結合されるように構成されており、第一の生体適合性ポリマーマトリックス、第二の生体適合性ポリマーマトリックス、又はその両方は、元の血管を受けるように構成される、請求項１に記載の移植可能な構造体。
【請求項８】
前記ＳＭＣ集団が脂肪組織に由来する請求項１から７の何れか一項に記載の移植可能な構造体。
【請求項９】
前記ＳＭＣ集団が末梢血に由来する請求項１から７の何れか一項に記載の移植可能な構造体。
【請求項１０】
前記構造体が尿路上皮細胞を含まない、請求項１から９の何れか一項に記載の移植可能な構造体。
【請求項１１】
前記ＳＭＣ集団が間葉幹細胞（ＭＳＣ）のインビトロ分化に由来しない、請求項１から１０の何れか一項に記載の移植可能な構造体。
【請求項１２】
請求項１から１０の何れか一項に記載の移植可能な構造体を作成する方法であって、該方法は、
ａ）第一及び第二の生体適合性ポリマーマトリックスを提供すること、及び
ｂ）第一及び第二の生体適合性ポリマーマトリックスの表面の上または内部に平滑筋細胞（ＳＭＣ）集団を堆積することを含み、
該ＳＭＣ集団は対象の自家細胞であり、拡大又は置換の標的となる元の臓器または組織構造に由来するものではなく、該ＳＭＣ集団は脂肪組織又は末梢血から生じたものである、方法。
【請求項１３】
前記方法は、第一及び第二の生体適合性ポリマーマトリックスを結合することを更に含み、
該第一及び第二の生体適合性ポリマーマトリックスは各々、基部及び、各基部から放射状に伸びた少なくとも２つの弁を含み、第一及び第二の生体適合性ポリマーマトリックスの基部及び弁は膀胱又は膀胱の一部に一致する形状を形成するように結合される、請求項１２に記載の方法。
【請求項１４】
第一及び第二の生体適合性ポリマーマトリックスは、結合して空洞の球形または準球形マトリックスを形成し、結合したポリマーマトリックスの一側面に突縁の付いた縦方向の楕円形開口部が、及び縦方向開口部の反対側面に円形の開口部が形成される、請求項１３に記載の方法。
【請求項１５】
第一及び第二の生体適合性ポリマーマトリックスは合わせて、上部、前部、及び側面部を含み、王冠型の移植可能な構造体を形成する、請求項１２に記載の方法。
【請求項１６】
上部、前部、及び側面部は、少なくとも３つの継ぎ目を使用して結合される、請求項１５に記載の方法。
【請求項１７】
上部、前部、及び側面部は、少なくとも４つの継ぎ目を使用して結合される、請求項１６に記載の方法。
【請求項１８】
前記方法が、第一及び第二の生体適合性ポリマーマトリックスを結合させ、管腔臓器の少なくとも一部に一致する形状を形成すること、及び、
第一の生体適合性ポリマーマトリックス、第二の生体適合性ポリマーマトリックス、又はその両方は、元の血管を受けるように構成することを更に含む、請求項１２に記載の方法。
【請求項１９】
前記ＳＭＣ集団が脂肪組織に由来する請求項１２から１８の何れか一項に記載の方法。
【請求項２０】
前記ＳＭＣ集団が末梢血に由来する請求項１２から１８の何れか一項に記載の方法。
【請求項２１】
前記構造体が尿路上皮細胞を含まない、請求項１２から２０の何れか一項に記載の方法。
【請求項２２】
前記ＳＭＣ集団が間葉幹細胞（ＭＳＣ）のインビトロ分化に由来しない、請求項１２から２１の何れか一項に記載の方法。
【手続補正書】
【提出日】平成27年1月5日(2015.1.5)
【手続補正１】
【補正対象書類名】特許請求の範囲
【補正対象項目名】請求項６
【補正方法】変更
【補正の内容】
【請求項６】
請求項１乃至５の何れかにおいて、前記取付けベース部と前記支持バーには、夫々相対応する部位に凸状部と凹状部とからなる一対の凹凸関係で構成される装着用の嵌合係止手段が設けられると共に、前記支持バーを、前記取付けベース部との間に緩衝手段を介して、前記凸状部と凹状部が離間する隙間部を存して嵌合係止させることにより、前記被嵌部を、前記取付けベース部に前記緩衝手段を介して弾設せしめ、外部からの衝突などを受けた際に当該衝撃を吸収するよう押圧揺動可能に構成したことを特徴とする引戸の戸先側縦枠における補助枠構造。
【手続補正２】
【補正対象書類名】明細書
【補正対象項目名】０００３
【補正方法】変更
【補正の内容】
【０００３】
ところで、一般に、戸先側縦枠は、壁面に対してその見付け面が約５〜１０ｍｍ程度突出した状態の建付け納まりとなっており、また、この種引戸は、開戸時にドアハンドルが戸袋内に収容されず、戸先側が露出した状態で開放保持されるようになっている。このため、この様な納まり開口部を出入りする運搬用カートは、医療機器、薬品、食品等を運搬する機能に応じて、大きさや高さも異なり、運搬者が開口部への適正位置を視認できない場合いや、偏心走行車の関係や重量の関係などで意図する方向への手押し操作が狂うなど、方向転換する際に目測を誤って、開口側縦枠のコーナー部分だけでなく引戸の戸先側や壁面にも衝突したり、擦過したりして、引戸の戸先部や壁面を傷つける危惧があり、従来の保護装置や保護構造をそのまま採用しても、これらの危惧を解消することができないという問題がある。
なお、上記かっこ（）と共に付した符号は、各特許文献中で使用された符号である。
【手続補正３】
【補正対象書類名】明細書
【補正対象項目名】００１６
【補正方法】変更
【補正の内容】
【００１６】
また、この様に組み付けられた補助枠部材４は、運搬用カート５などにより外部から衝突等の押圧負荷を受けると、通常範囲の押圧負荷は弾性カバー４３の弾発力をもって緩衝されるが、重量のある運搬用カート５などにより、さらに強い衝突（集中域や上下面域に対して）などを受けると、係合外片４２２の先端と基部４１１との間に形成された隙間部Ｓの存在により、支持面部４２１と係合外片４２２とにより形成される円弧面に沿って面接された両係合内片４１３の先端部が、当該円弧面に沿う滑り応力を受けて、両係合内片４１３が弾圧に抗してそれぞれ内側に向けて僅かに弾性湾曲するように弾発傾動され、被嵌部４ａが取付けベース部４１側に若干押圧されて揺動する緩衝手段を構成する。つまり、被嵌部４ａは、取付けベース部４１との間に、この緩衝手段が介在された状態で弾設される。
このとき、係合外片４２２の先端部も同様に、基部４１１と係合内片４１３との入隅部がＲ状に面取りされた円弧面に沿って面接されており、両係合外片４２２の先端部が、当該円弧面に沿う滑り応力を受けて、両係合外片４２２が弾圧に抗してそれぞれ外側に向けて僅かに弾性湾曲するように弾発傾動される緩衝手段を構成すると共に、支持面部４２１の端部と支持脚片４１２の端部間に接触介在された被嵌脚片４３１が、それぞれの端部間に挟み込まれる状態で弾発する緩衝手段を構成するようになっている。
【手続補正４】
【補正対象書類名】明細書
【補正対象項目名】００２０
【補正方法】変更
【補正の内容】
【００２０】
その結果、補助枠部材４が、運搬用カート５の衝突保護用のガード枠としての機能は勿論、方向転換操作を案内補助する当接案内枠としての機能と、その押し引き操作を補助する手掛け枠としての機能を兼ね備えることができ、運搬者による方向転換操作の際に、目測を誤って押し引き操作が狂うなどによる運搬用カート５の誤操作を予め回避することができ、或いは衝突頻度の可及的な減少が図られると共に、開口部への適正位置を視認できない高さの運搬用カート５などを含め、引戸開口部を出入りする種々の運搬用カート５をスムーズに通過操作することが可能となって、戸先側縦枠１３のコーナー部分だけでなく、引戸１１の戸先部や壁面２に対しても、誤操作による強い衝突や擦過による損傷を未然に防止することができるようになり、しかも、補助枠部材４がドアハンドル１１２に並設されているので、高齢者、身体障害者、車いすに乗った者、幼児などが弾性カバー４３に手を掛けることで、手滑りすることなく引戸１１の開戸始動などその開閉操作を補助することができ、開閉補助用の手掛け枠としての機能をも発揮することができる。
【手続補正５】
【補正対象書類名】明細書
【補正対象項目名】００２２
【補正方法】変更
【補正の内容】
【００２２】
また、補助枠部材４は、それぞれ戸先側縦枠１３の外部（廊下）側と内部（室内）側の見付け面部１３１に取り付けることができるので、運搬用カート５の開口部の出入りに際して、室内・外の何れの側からも、方向転換操作を案内補助する当接案内枠と、その押し引き操作を補助する手掛け枠としての機能を兼ね備えることができ、スムーズな開口部通過を補助することができるだけでなく、高齢者等による引戸１１の開戸始動などその開閉操作を補助する手掛け枠として機能することができる。
【手続補正６】
【補正対象書類名】明細書
【補正対象項目名】００２４
【補正方法】変更
【補正の内容】
【００２４】
また、取付けベース部４１と支持バー４２には、夫々相対応する部位に凸状部と凹状部とからなる一対の凹凸関係で構成される装着用の嵌合係止手段が設けられると共に、支持バー４２を、取付けベース部４１との間に緩衝手段を介して、前記凸状部と凹状部が離間する隙間部Ｓを存して嵌合係止させることにより、被嵌部４ａを、取付けベース部４１に前記緩衝手段を介して弾設せしめ、外部からの衝突などを受けた際に当該衝撃を吸収するよう押圧揺動可能に構成してある。
この様に構成すると、被嵌部４ａが、運搬用カート５などにより外部から押圧負荷を受けると、通常範囲の押圧負荷は弾性カバー４３の弾発力をもって緩衝されるが、さらに強い衝突などを受けると、緩衝手段の弾発作用により、被嵌部４ａが、隙間部Ｓを介して取付けベース部４１側に押圧揺動され、その衝撃や強い衝突、振動などを吸収して減衰、緩衝することができ、戸先側縦枠１３に対して直接的に衝撃力や衝突力などが伝達することがない衝撃吸収可能なダンパーとして機能することができる。
したがって、従来のクッション材のみで衝撃を吸収するようにした特許文献２のもののように、直接面接固定されたブラケットと支持材とが、クッション材で吸収できない強い衝撃をまともに受けて、両者が衝突して座屈したり変形したりする危惧が解消され、取付けベース部４１と支持バー４２との衝突変形が防止され、補助枠部材４の耐久性を向上することができる。
【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
シリコネート溶液とデンプンとを混合して、シリコネート溶液／デンプン混合物を形成するステップであって；
前記シリコネート溶液が、シリコネートを含み；
前記シリコネート溶液／デンプン混合物のシリコネート百分率が、少なくとも0.5％であり；
前記シリコネート溶液／デンプン混合物の全水分率が、少なくとも５％、且つ、50％以下である、ステップと、
十分に前記混合物を混合して、疎水性デンプン混合物をもたらすステップとを含む、方法において、
前記疎水性デンプン混合物が、以下の試験：75 mlの水をGoetz型遠沈管に加え；５ｇの前記疎水性デンプン混合物を加え；遠沈管を液跳ねさせずに10回転倒させ、ここで「転倒させ」とは、少なくとも３秒かけて、管を逆さまにし、そして元の位置に戻すことを意味するものであり；前記遠沈管を30分間放置し；前記遠沈管を液跳ねさせずにさらに10回ゆっくり転倒させ；前記遠沈管をさらに30分間放置し；そして前記遠沈管内の沈降したデンプンの体積を記録する、によって評価した場合に３ml以下の疎水性を示す、
ことを特徴とする方法。
【請求項２】
水を、前記シリコネート溶液及び前記デンプンと混合して、シリコネート溶液／デンプン混合物を形成するステップをさらに含む、請求項１に記載の方法。
【請求項３】
前記シリコネート溶液／デンプン混合物の全水分率が、少なくとも10％、且つ、30％以下である、請求項１又は２に記載の方法。
【請求項４】
前記疎水性デンプン混合物を乾燥させて、０〜18％（w/w）の残留水分率を有する乾燥疎水性デンプンを得るステップをさらに含む、請求項１〜３のいずれか１項に記載の方法。
【請求項５】
前記残留水分率が、７〜14％（w/w）である、請求項４に記載の方法。
【請求項６】
前記乾燥疎水性デンプンが、0.8 ml以下の疎水性を示す、請求項１に記載の方法。
【請求項７】
前記シリコネート溶液が、メチルシリコネート塩を含む、請求項１または２に記載の方法。
【請求項８】
前記疎水性デンプン混合物が、自由流動性であり、得られるデンプン混合物が、実施例４に記載の方法でテストした場合、少なくとも10.0 cmのデンプンパイル直径を有する、請求項１または２に記載の方法。
【請求項９】
請求項１または２に記載の方法に従って調製された製品。
【請求項１０】
シリコネート溶液とデンプンとを混合して、シリコネート溶液／デンプン混合物を形成するステップであって；
前記シリコネート溶液が、シリコネートを含み；
前記シリコネート溶液／デンプン混合物のシリコネート百分率が、少なくとも0.5％であり；
前記シリコネート溶液／デンプン混合物の全水分率が、少なくとも５％、且つ、50％以下である、ステップと、
十分に前記混合物を混合して、自由流動性デンプン混合物をもたらし、ここで得られるデンプン混合物が、実施例４に記載の方法でテストした場合、少なくとも10.0 cmのデンプンパイル直径を有する、ステップとを含む、方法。
【請求項１１】
請求項10に記載の方法に従って調製された製品。
【手続補正書】
【提出日】平成26年11月27日(2014.11.27)
【手続補正１】
【補正対象書類名】特許請求の範囲
【補正対象項目名】請求項９
【補正方法】変更
【補正の内容】
【請求項９】
請求項１〜８のいずれか１項に記載の樹脂組成物を用いてなることを特徴とする繊維集束剤。
【手続補正２】
【補正対象書類名】特許請求の範囲
【補正対象項目名】請求項１０
【補正方法】変更
【補正の内容】
【請求項１０】
請求項１〜８のいずれか１項に記載の樹脂組成物を用いてなることを特徴とするコーティング剤。
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
内燃機関から導かれた排気ガスによって駆動されるタービン部と、
前記タービン部により駆動されて前記内燃機関に外気を圧送するコンプレッサ部と、
フレキシブルカップリングを介して、前記タービン部および前記コンプレッサ部の回転軸と連結される回転軸を有する発電機と、
前記タービン部および前記コンプレッサ部を支持するケーシングと、を有し、
前記コンプレッサ部の上流側に、前記内燃機関の吸気系統に接続され、かつ、前記コンプレッサ部を介して前記ケーシングに支持された消音器が設けられており、前記消音器の中央部に、その内部に第１凹所を有するシェルハウジングが設けられているとともに、前記第１凹所内に、前記発電機が収容されているハイブリッド排気タービン過給機であって、
前記フレキシブルカップリングと反対の側に位置する前記発電機の回転軸の軸端に取り付けられたスラストカラーと、
前記スラストカラーのフランジ部を形成する両端面と対向するようにして配置された二つのスラスト軸受と、を備えた拘束機構が、前記ケーシングと反対の側に位置する前記シェルハウジングの正面側に形成された第２凹所内に収容されているとともに、
前記拘束機構が収容される前記第２凹所の、前記シェルハウジングの正面側に形成された開口端が蓋体により塞がれており、かつ、前記蓋体の内側面に、前記スラスト軸受に供給された後、前記蓋体の内側面に飛散した潤滑油を、前記シェルハウジングの正面側底部に設けられた潤滑油排出路に導く第３凹所が設けられていることを特徴とするハイブリッド排気タービン過給機。
【請求項２】
前記発電機の回転軸の外周面には、周方向および軸方向に沿って複数個の永久磁石が貼り付けられており、これら永久磁石の半径方向外側には、これら永久磁石を取り囲むようにして周方向および軸方向に沿って固定子コイルが配置されていることを特徴とする請求項１に記載のハイブリッド排気タービン過給機。
【請求項３】
請求項１または２に記載のハイブリッド排気タービン過給機を具備してなることを特徴とする内燃機関。
【手続補正２】
【補正対象書類名】明細書
【補正対象項目名】００２８
【補正方法】変更
【補正の内容】
【００２８】
なお、拘束機構３５が収容される凹所５１の開口端は、ボルト５２を介して取り付けられた蓋体５３によって塞がれる（密閉される）ようになっている。また、蓋体５３の内表面（ボルト５２を介して取り付けられた際に奥側に位置して、リーマボルト４５の頭部頂面（表面）と対向する面）には、リーマボルト４５の頭部を受け入れて、かつ、リーマボルト４５の頭部との間に所定の隙間（空間）を形成する凹所５４と、この凹所５４とリーマボルト４５の頭部との間に形成された隙間に飛散した潤滑油を、スラスト軸受４２の下方に導く凹所５５とが設けられている。
そして、凹所５４とリーマボルト４５の頭部との間に形成された隙間に飛散した潤滑油は、フランジ部４４の他端面と対向するようにして配置されたスラスト軸受４２と、凹所５５との間に形成された隙間（空間）を介してスラスト軸受４２の下方に導かれた後、２つのスラスト軸受４２を潤滑した後、滴下した潤滑油と合流して、図３中の実線の矢印で示すように、潤滑油排出路３６を通って潤滑油排出管３７に導かれる。
また、凹所５４とリーマボルト４５の頭部との間に形成された隙間に飛散し、フランジ部４４の他端面と対向するようにして配置されたスラスト軸受４２と、凹所５５との間に形成された隙間を介してスラスト軸受４２の下方に導かれた潤滑油、２つのスラスト軸受４２を潤滑した後、滴下した潤滑油、およびジャーナル軸受３１を潤滑した後、滴下した潤滑油は、潤滑油排出路３６および潤滑油排出管３７を通ってオイルタンクに導かれる間に互いに混ざり合うことになる。
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
供給された画像データに基づいて露光する露光手段及び複数の回転体を備え、前記露光手段による露光及び前記複数の回転体の回転によって記録媒体に画像を形成する画像形成手段により、前記複数の回転体の各々の回転によって生じる前記回転体毎の周期的な濃度むらの分布を表わす濃度むら分布情報を抽出するための抽出用画像を形成する際に、少なくとも前記濃度むら分布情報の抽出対象である回転体の周期を表わす関数に対して他の回転体の周期を表わす関数が直交するように、前記複数の回転体の少なくとも１つの回転を制御する制御手段と、
前記制御手段により制御された状態で形成された前記抽出用画像を読み取った読取画像から、前記抽出対象である回転体の回転による濃度むらを表わす濃度むら分布情報を回転体毎に抽出する抽出手段と、
前記抽出手段により抽出された濃度むら分布情報が表わす濃度むらを補正するための補正値を生成し、該補正値を用いて前記露光手段に供給される画像データ又は前記露光手段の露光量を補正する補正手段と、
を備えた画像形成制御装置。
【請求項２】
前記抽出手段は、前記読取画像に対してフーリエ変換を行うことにより、前記濃度むら分布情報を回転体毎に抽出する
請求項１に記載の画像形成制御装置。
【請求項３】
前記補正手段は、前記抽出手段により抽出される濃度むら分布情報の前記複数の回転体の回転方向の倍率が、前記制御手段による回転制御を行わないときの基準倍率と異なる場合に、前記抽出された濃度むら分布情報の前記回転方向の倍率が前記基準倍率となるように調整した後に、前記補正値を生成するか、前記補正値を生成した後に、該補正値の前記回転方向の倍率が前記基準倍率となるように調整する
請求項１又は請求項２に記載の画像形成制御装置。
【請求項４】
前記抽出手段は、前記読取画像が前記複数の回転体の回転方向と交差する方向に分割された複数の分割領域毎に、濃度むらを該交差する方向に平均化した濃度むら分布情報を抽出し、
前記補正手段は、前記抽出手段により抽出された前記分割領域毎の濃度むらを補正するための補正値を前記分割領域毎に生成し、該補正値を用いて前記露光手段に供給される画像データ又は前記露光手段の露光量を補正する
請求項１〜請求項３の何れか１項記載の画像形成制御装置。
【請求項５】
供給された画像データに基づいて露光する露光手段及び複数の回転体を備え、前記露光手段による露光及び前記複数の回転体の回転によって記録媒体に画像を形成する画像形成手段と、
請求項１〜請求項４の何れか１項記載の画像形成制御装置と、
を備えた画像形成装置。
【請求項６】
コンピュータを、
供給された画像データに基づいて露光する露光手段及び複数の回転体を備え、前記露光手段による露光及び前記複数の回転体の回転によって記録媒体に画像を形成する画像形成手段により、前記複数の回転体の各々の回転によって生じる前記回転体毎の周期的な濃度むらの分布を表わす濃度むら分布情報を抽出するための抽出用画像を形成する際に、少なくとも前記濃度むら分布情報の抽出対象である回転体の周期を表わす関数に対して他の回転体の周期を表わす関数が直交するように、前記複数の回転体の少なくとも１つの回転を制御する制御手段、
前記制御手段により制御された状態で形成された前記抽出用画像を読み取った読取画像から、前記抽出対象である回転体の回転による濃度むらを表わす濃度むら分布情報を回転体毎に抽出する抽出手段、及び
前記抽出手段により抽出された濃度むら分布情報が表わす濃度むらを補正するための補正値を生成し、該補正値を用いて前記露光手段に供給される画像データ又は前記露光手段の露光量を補正する補正手段、
として機能させるためのプログラム。
【手続補正２】
【補正対象書類名】明細書
【補正対象項目名】０００８
【補正方法】変更
【補正の内容】
【０００８】
請求項３の発明は、請求項１又は請求項２に記載の画像形成制御装置において、前記補正手段は、前記抽出手段により抽出される濃度むら分布情報の前記複数の回転体の回転方向の倍率が、前記制御手段による回転制御を行わないときの基準倍率と異なる場合に、前記抽出された濃度むら分布情報の前記回転方向の倍率が前記基準倍率となるように調整した後に、前記補正値を生成するか、前記補正値を生成した後に、該補正値の前記回転方向の倍率が前記基準倍率となるように調整する。